(57)【要約】【課題】  サーバから配信されるコンテンツデータに対応するコンテンツデータが記憶されている場合、記憶されているコンテンツデータを用いてコンテンツを再生する通信端末を提供する。【解決手段】  本発明の通信端末は、サーバによって過去に配信されたコンテンツデータを第１コンテンツデータとして記憶するデータ記憶部２４と、サーバから配信されるコンテンツデータを第２コンテンツデータとして受信する受信部２２と、第１コンテンツデータの識別情報と、第２コンテンツデータの識別情報との照合を行う照合部２０と、照合部２０による照合の結果、第２コンテンツデータに対応する第１コンテンツデータがデータ記憶部２４に存在する場合、第１コンテンツデータを用いてコンテンツを再生するコンテンツ再生部２０とを備える。【選択図】  図２
2009124617.tif 000002
【特許請求の範囲】
【請求項１】
サーバによって過去に配信されたコンテンツデータを第１コンテンツデータとして記憶するデータ記憶部と、
前記サーバから配信されるコンテンツデータを第２コンテンツデータとして受信する受信部と、
前記第１コンテンツデータの識別情報と、前記第２コンテンツデータの識別情報との照合を行う照合部と、
前記照合部による照合の結果、前記第２コンテンツデータに対応する前記第１コンテンツデータが前記データ記憶部に存在する場合には、前記第１コンテンツデータを用いてコンテンツを再生するコンテンツ再生部と
を備えることを特徴とする通信端末。
【請求項２】
サーバによって過去に配信されたコンテンツデータを第１コンテンツデータとして記憶するデータ記憶部と、
前記サーバから配信されるコンテンツデータを第２コンテンツデータとして受信する受信部と、
前記第１コンテンツデータの識別情報と、前記第２コンテンツデータの識別情報との照合を行う照合部と、
前記照合部による照合の結果、前記第２コンテンツデータに対応する前記第１コンテンツデータが前記データ記憶部に存在する場合に、コンテンツの再生に用いるコンテンツデータの選択を促す選択メッセージを出力するメッセージ出力部と、
前記メッセージ出力部に出力されたメッセージに基づいて選択された前記第１コンテンツデータ又は前記第２コンテンツデータを用いてコンテンツの再生を行なうコンテンツ再生部と
を備えることを特徴とする通信端末。
【請求項３】
前記第１コンテンツデータは、コンテンツを構成する複数の第１データファイルを示す第１コンテンツメタ情報を含み、
前記第２コンテンツデータは、コンテンツを構成する複数の第２データファイルを示す第２コンテンツメタ情報を含み、
前記照合部は、複数の前記第１データファイルの各々に付された第１ファイル識別情報と、複数の前記第２データファイルの各々に付された第２ファイル識別情報との照合を行い、
前記コンテンツ再生部は、前記照合部による照合結果に基づき、データファイル単位で前記第１コンテンツデータ又は前記第２コンテンツデータを用いてコンテンツの再生を行なうことを特徴とする請求項１又は請求項２記載の通信端末。
【請求項４】
コンテンツを配信するサーバと、前記サーバと第１の通信経路を介して接続される第１の通信端末と、前記サーバと第２の通信経路を介して接続される第２の通信端末とを備えた通信システムであって、
前記第１の端末は、
前記サーバから前記第２の通信経路を介して前記第２の通信端末に配信されたコンテンツデータであって、前記第２の通信端末との間の接続が確立した際に前記第２の通信端末から取得したコンテンツデータを第１コンテンツデータとして記憶するデータ記憶部と、
前記サーバから前記第１の通信経路を介して配信されるコンテンツデータを第２コンテンツデータとして受信する受信部と、
前記第１コンテンツデータの識別情報と、前記第２コンテンツデータの識別情報との照合を行う照合部と、
前記照合部による照合の結果、前記第２コンテンツデータに対応する前記第１コンテンツデータが前記データ記憶部に存在する場合には、前記第１コンテンツデータを用いてコンテンツを再生するコンテンツ再生部と
を備えることを特徴とする通信システム。
【請求項５】
コンテンツを配信するサーバと、前記サーバと第１の通信経路を介して接続される第１の通信端末と、前記サーバと第２の通信経路を介して接続される第２の通信端末とを備えた通信システムであって、
前記第１の端末は、
前記サーバから前記第２の通信経路を介して前記第２の通信端末に配信されたコンテンツデータであって、前記第２の通信端末との間の接続が確立した際に前記第２の通信端末から取得したコンテンツデータを第１コンテンツデータとして記憶するデータ記憶部と、
前記サーバから前記第１の通信経路を介して配信されるコンテンツデータを第２コンテンツデータとして受信する受信部と、
前記第１コンテンツデータの識別情報と、前記第２コンテンツデータの識別情報との照合を行う照合部と、
前記照合部による照合の結果、前記第２コンテンツデータに対応する前記第１コンテンツデータが前記データ記憶部に存在する場合に、コンテンツの再生に用いるコンテンツデータの選択を促す選択メッセージを出力するメッセージ出力部と、
前記メッセージ出力部に出力されたメッセージに基づいて選択された前記第１コンテンツデータ又は前記第２コンテンツデータを用いてコンテンツの再生を行なうコンテンツ再生部と
を備えることを特徴とする通信システム。
【請求項６】
前記第１コンテンツデータは、コンテンツを構成する複数の第１データファイルを示す第１コンテンツメタ情報を含み、
前記第２コンテンツデータは、コンテンツを構成する複数の第２データファイルを示す第２コンテンツメタ情報を含み、
前記照合部は、複数の前記第１データファイルの各々に付された第１ファイル識別情報と、複数の前記第２データファイルの各々に付された第２ファイル識別情報との照合を行い、
前記コンテンツ再生部は、前記コンテンツ照合部による照合結果に基づき、データファイル単位で前記第１コンテンツデータ又は前記第２コンテンツデータを用いたコンテンツの再生を行なうことを特徴とする請求項４又は請求項５記載の通信システム。
【発明の詳細な説明】
【技術分野】
【０００１】
本発明は、コンテンツの再生を行なう通信端末及びコンテンツの配信を行なう通信システムに関するものである。
【背景技術】
【０００２】
インターネット等のネットワークを介して動画や音楽等のコンテンツを配信する場合、コンテンツのファイルサイズが大きくファイルのダウンロードに時間が掛かることから、ファイルデータを受信しながらコンテンツの再生が可能なストリーミングによる配信（ストリーミング配信）が行なわれることが多い。このようなストリーミング配信を用い、データの送受信を行なう機器間におけるデータ転送速度等の通信状況に応じてコンテンツの再生に用いるコンテンツデータを切換るデータ配信システムが存在する（特許文献１参照）。
【特許文献１】特開２００３−２６３１７４号公報
【発明の開示】
【発明が解決しようとする課題】
【０００３】
ところで、特許文献１記載のデータ配信システムにおいては、ローカルに存在する他の端末に記憶されているコンテンツデータを用いてコンテンツの再生を行なうか、サーバからストリーミング配信されたコンテンツデータを用いてコンテンツの再生を行なうかの切換をデータの転送を行なう機器間の通信状況に応じて行なっている。ここで、ストリーミング配信はネットワークの通信速度が低速の場合でも短い待ち時間で再生開始できるという利点を有するものの、ローカルにコンテンツデータを持つ場合に比べ、早送りや巻き戻し等のレスポンスが遅くユーザビリティが良くないという問題がある。
【０００４】
本発明の目的は、サーバから配信されるコンテンツデータと同等のコンテンツデータが通信端末に記憶されている場合には、記憶されているコンテンツデータを用いたコンテンツの再生を可能とする通信端末及び通信システムを提供することである。
【課題を解決するための手段】
【０００５】
以下に本発明の構成を実施形態の符号を付して説明するが、本発明は、この実施形態に限定されるものではない。
【０００６】
本発明の通信端末は、サーバによって過去に配信されたコンテンツデータを第１コンテンツデータとして記憶するデータ記憶部（２４）と、前記サーバから配信されるコンテンツデータを第２コンテンツデータとして受信する受信部（２２）と、前記第１コンテンツデータの識別情報と、前記第２コンテンツデータの識別情報との照合を行う照合部（２０）と、前記照合部（２０）による照合の結果、前記第２コンテンツデータに対応する前記第１コンテンツデータが前記データ記憶部（２４）に存在する場合には、前記第１コンテンツデータを用いてコンテンツを再生するコンテンツ再生部（２０）とを備えることを特徴とする。
【０００７】
また、本発明の通信端末は、サーバによって過去に配信されたコンテンツデータを第１コンテンツデータとして記憶するデータ記憶部（２４）と、前記サーバから配信されるコンテンツデータを第２コンテンツデータとして受信する受信部（２２）と、前記第１コンテンツデータの識別情報と、前記第２コンテンツデータの識別情報との照合を行う照合部（２０）と、前記照合部（２０）による照合の結果、前記第２コンテンツデータに対応する前記第１コンテンツデータが前記データ記憶部（２４）に存在する場合に、コンテンツの再生に用いるコンテンツデータの選択を促す選択メッセージを出力するメッセージ出力部（２６）と、前記メッセージ出力部（２６）に出力されたメッセージに基づいて選択された前記第１コンテンツデータ又は前記第２コンテンツデータを用いてコンテンツの再生を行なうコンテンツ再生部（２０）とを備えることを特徴とする。
【０００８】
また、本発明の通信システムは、コンテンツを配信するサーバ（４）と、前記サーバ（４）と第１の通信経路（１０）を介して接続される第１の通信端末（２）と、前記サーバ（４）と第２の通信経路（１２）を介して接続される第２の通信端末（６）とを備えた通信システムであって、前記第１の端末（２）は、前記サーバ（４）から前記第２の通信経路（１２）を介して前記第２の通信端末（６）に配信されたコンテンツデータであって、該第２の通信端末（６）との間の接続が確立した際に該第２の通信端末（６）から送信されたコンテンツデータを第１コンテンツデータとして記憶するデータ記憶部（２４）と、前記サーバ（４）から前記第１の通信経路（１０）を介して配信されるコンテンツデータを第２コンテンツデータとして受信する受信部（２２）と、前記第１コンテンツデータの識別情報と、前記第２コンテンツデータの識別情報との照合を行う照合部（２０）と、前記照合部（２０）による照合の結果、前記第２コンテンツデータに対応する前記第１コンテンツデータが前記データ記憶部（２４）に存在する場合、前記第１コンテンツデータを用いてコンテンツを再生するコンテンツ再生部（２０）とを備えることを特徴とする。
【０００９】
また、本発明の通信システムは、コンテンツを配信するサーバ（４）と、前記サーバ（４）と第１の通信経路（１０）を介して接続される第１の通信端末（２）と、前記サーバ（４）と第２の通信経路（１２）を介して接続される第２の通信端末（６）とを備えた通信システムであって、前記第１の端末（２）は、前記サーバ（４）から前記第２の通信経路（１２）を介して前記第２の通信端末（６）に配信されたコンテンツデータであって、前記第２の通信端末（６）との間の接続が確立した際に前記第２の通信端末（６）から取得したコンテンツデータを第１コンテンツデータとして記憶するデータ記憶部（２４）と、前記サーバ（４）から前記第１の通信経路（１０）を介して配信されるコンテンツデータを第２コンテンツデータとして受信する受信部（２２）と、前記第１コンテンツデータの識別情報と、前記第２コンテンツデータの識別情報との照合を行う照合部（２０）と、前記照合部（２０）による照合の結果、前記第２コンテンツデータに対応する前記第１コンテンツデータが前記データ記憶部（２４）に存在する場合に、コンテンツの再生に用いるコンテンツデータの選択を促す選択メッセージを出力するメッセージ出力部（２６）と、前記メッセージ出力部（２６）に出力されたメッセージに基づいて選択された前記第１コンテンツデータ又は前記第２コンテンツデータを用いてコンテンツの再生を行なうコンテンツ再生部（２０）とを備えることを特徴とする。
【発明の効果】
【００１０】
本発明の通信端末によれば、サーバによって過去に配信された第１コンテンツデータの識別情報と、サーバから配信される第２コンテンツデータの識別情報との照合を行い、第２コンテンツデータに対応する第１コンテンツデータが存在する場合には、第１コンテンツデータを用いてコンテンツを再生するため、巻き戻し処理等のレスポンスを良好にしユーザビリティの向上を適切に図ることができる。
【００１１】
また、本発明の通信端末によれば、サーバによって過去に配信された第１コンテンツデータの識別情報と、サーバから配信される第２コンテンツデータの識別情報との照合を行い、第２コンテンツデータに対応する第１コンテンツデータが存在する場合には、コンテンツの再生に用いるコンテンツデータの選択を促す選択メッセージを出力し、選択された第１コンテンツデータ又は第２コンテンツデータを用いてコンテンツを再生するため、ユーザの要求に合致した適切なコンテンツデータを提供することができ、ユーザビリティを向上させることができる。
【００１２】
また、本発明の通信システムによれば、第１の通信端末において、サーバから第２の通信経路を介して第２の通信端末に配信されたコンテンツデータであって、第２の通信端末との間の接続が確立した際に第２の通信端末から取得した第１コンテンツデータの識別情報と、サーバから第１の通信経路を介して配信される第２コンテンツデータの識別情報との照合を行い、第２コンテンツデータに対応する第１コンテンツデータが存在する場合には、第１コンテンツデータを用いてコンテンツを再生するため、コンテンツの再生処理に関するレスポンスを良好にし、ユーザビリティを適切に向上させることができる。
【００１３】
また、本発明の通信システムは、第１の通信端末において、サーバから第２の通信経路を介して第２の通信端末に配信されたコンテンツデータであって、第２の通信端末との間の接続が確立した際に第２の通信端末から取得した第１コンテンツデータの識別情報と、サーバから第１の通信経路を介して配信される第２コンテンツデータの識別情報との照合を行い、第２コンテンツデータに対応する第１コンテンツデータが存在する場合には、コンテンツの再生に用いるコンテンツデータの選択を促す選択メッセージを出力し、選択された第１コンテンツデータ又は第２コンテンツデータを用いてコンテンツを再生するため、ユーザの要求に合致した適切なコンテンツデータを提供しユーザビリティを適切に向上させることができる。
【発明を実施するための最良の形態】
【００１４】
以下、図面を参照して本発明の実施の形態に係る通信システムについて説明する。なお、本発明における第１の通信端末には、携帯電話、ノートパソコン、タブレットＰＣ、ＰＤＡ、ウェアラブルディスプレイ、ウェアラブルコンピュータ等の移動通信型の携帯機器（携帯端末）が含まれるが、以下においては、ＰＤＡを例として説明する。また、第２の通信端末には、ノートパソコンやデスクトップパソコン等のパーソナルコンピュータ（ＰＣ）を用いる場合を例として説明する。
【００１５】
図１は、本実施の形態に係る通信システムの概略構成を模式的に示した図である。通信システムは、コンテンツデータやコンテンツメタ情報を配信するサーバ４（ストリーミングサーバ）と、インターネット８、アクセスポイント及び無線ＬＡＮ１０（第１の通信経路）を介してサーバ４と接続されるＰＤＡ２（第１の通信端末）と、インターネット８及びＬＡＮ１２（第２の通信経路）を介してサーバ４と接続されるＰＣ６（第２の通信端末）とを備えている。また、本実施の形態に係る通信システムにおいて、ＰＤＡ２とＰＣ６との間の接続は、例えば、ＵＳＢケーブルを介して確立される。
【００１６】
ここで、図１においては、サーバ４とＰＤＡ２との間、サーバ４とＰＣ６との間の接続状態を示すべく、無線ＬＡＮ１０による通信経路及びＬＡＮ１２による通信経路の双方が確立している場合を示しているが、無線ＬＡＮ１０による通信経路とＬＡＮ１２による通信経路が同時に確立している必要はない。即ち、ＰＤＡ２がサーバ４との間で通信を行なう際に無線ＬＡＮ１０が、ＰＣ６がサーバ４との間で通信を行なう際にＬＡＮ１２が、それぞれ確立していればよい。また、ＰＤＡ２とＰＣ６との間の接続についても、常時接続が確立されている必要はなく、ＰＣ６からＰＤＡ２に対してコンテンツデータ（第１コンテンツデータ）等を出力する場合にのみ、接続が確立されていればよい。なお、サーバ４とＰＣ６との間を接続するＬＡＮ１２は、無線ＬＡＮ１０に比べ通信の安定性が高い通信経路が用いられている。
【００１７】
図２は、本実施の形態に係るＰＤＡ２の構成を示すブロック図である。ＰＤＡ２は、図２に示すように、コンテンツの再生等の処理を制御するＣＰＵ２０を備え、ＣＰＵ２０には、インターネット８等を介した通信を制御する通信制御部２２（受信部）、コンテンツメタ情報やコンテンツデータ等を記憶する記憶部２４（データ記憶部）、再生されたコンテンツ等を表示する表示部２６及びＰＣ６との間の接続を確立するＵＳＢポート２８が接続されている。なお、図２においては図示を省略しているが、ＰＤＡ２は、音楽コンテンツ等を再生した場合に用いられるスピーカ等も備えている。このＰＤＡ２においては、インターネット８及び無線ＬＡＮ１０を介してサーバ４から送信されるコンテンツメタ情報を通信制御部２２を介して受信し、受信したコンテンツメタ情報に基づいて記憶部２４に記憶されているコンテンツデータ、又は、サーバ４からＰＤＡ２に対してストリーミング配信されるコンテンツデータ（第２コンテンツデータ）を用いて動画や音楽等のコンテンツを再生する。
【００１８】
ここで、コンテンツメタ情報とは、サーバ４から配信されるコンテンツのタイトル、コンテンツデータを取得する際の接続先を示すＵＲＬ、コンテンツのファイル形式、ファイル名、ファイルＩＤ（識別情報）等のプレイリストを示す情報である。なお、コンテンツが複数のファイルにより構成されている場合には、各ファイルにファイルＩＤが付されている。
【００１９】
また、ＰＤＡ２においては、サーバ４によって過去にＰＣ６に対して配信されたコンテンツデータをＰＣ６を経由して取得し、予め記憶部２４に記憶する。即ち、ＰＣ６において、ＬＡＮ１２及びインターネット８を介してサーバ４に接続し、サーバ４から配信されるコンテンツデータをダウンロードし記憶している場合がある。このような場合、ＰＣ６とＰＤＡ２との間の接続がＵＳＢケーブルを介して確立された際に、ＰＣ６からＰＤＡ２に記憶されているコンテンツデータを送信し、予めＰＤＡ２において任意のコンテンツデータを記憶する。
【００２０】
なお、ＰＤＡ２において記憶するコンテンツデータは、例えば、ＰＣ６に記憶されているコンテンツを示すリスト等から、ユーザが図示しない入力部を用いて任意に選択し取得される。また、ＰＣ６からＰＤＡ２に対してコンテンツデータが送信される際には、コンテンツデータと共にコンテンツのタイトル、コンテンツのファイル形式、ファイル名、ファイルＩＤ等を含むプレイリストが送信され、記憶部２４に記憶される。
【００２１】
次に、図３のフローチャートを参照して、本実施の形態に係るＰＤＡ２における処理について説明する。まず、ＰＤＡ２においては、サーバ４から送信されるコンテンツメタ情報を受信する（ステップＳ１０）。即ち、ＰＤＡ２が、無線ＬＡＮ１０、アクセスポイント及びインターネット８を介してサーバ４に接続され、サーバ４により提供されるコンテンツのプレイリストを示すコンテンツメタ情報が取得される。
【００２２】
次に、記憶部２４に記憶されているプレイリストを参照し（ステップＳ１１）、コンテンツメタ情報に含まれているコンテンツのファイルＩＤと、プレイリストに含まれているコンテンツのファイルＩＤとの照合を行う（ステップＳ１２）。即ち、サーバ４から配信されるコンテンツデータに対応するコンテンツデータがＰＤＡ２に記憶されているか否かを確認すべくファイルＩＤの照合を行う。
【００２３】
ここで、ステップＳ１２における照合は、ファイル名ではなくファイルＩＤを用いて行なわれる。例えば、動画コンテンツについて、コンテンツデータのビットレートが異なるためにコンテンツの画質が異なっている等の場合には、同一のコンテンツに対応するコンテンツデータであっても、ファイル名が異なっている場合がある一方、ファイルＩＤは、ビットレート等が異なっている場合であっても、コンテンツの内容として同一のものであれば同一のファイルＩＤが用いられる。従って、サーバ４からストリーミング配信されるコンテンツデータに対応するコンテンツデータが、ＰＤＡ２の記憶部２４に記憶されているか否かを確認すべく、ファイルＩＤの照合を行う。
【００２４】
ステップＳ１２においてファイルＩＤを照合した結果、サーバ４から配信されるコンテンツデータに対応するコンテンツデータが記憶部２４に存在する場合には（ステップＳ１３）、記憶部２４に記憶されているコンテンツデータを用いてコンテンツの再生を行なう（ステップＳ１４）。即ち、記憶部２４に記憶されているコンテンツデータを用いたコンテンツの再生を優先する。
【００２５】
一方、ステップＳ１２においてファイルＩＤを照合した結果、サーバ４から配信されるコンテンツデータに対応するコンテンツデータが記憶部２４に存在しない場合には（ステップＳ１３）、サーバ４からストリーミング配信されるコンテンツデータを用いてコンテンツの再生を行なう（ステップＳ１５）。なお、コンテンツメタ情報の受信及びコンテンツの再生は、ストリーミング配信に関する公知の技術を用いて実現することができるため、詳細な説明は省略する。
【００２６】
本実施の形態に係る通信端末は、予めコンテンツデータを記憶し、ファイルＩＤの照合結果に基づきサーバからストリーミング配信されるコンテンツデータに対応するコンテンツデータが存在する場合には、記憶されているコンテンツデータを用いてコンテンツの再生を行っている。従って、通信端末に記憶されているコンテンツデータを用いてコンテンツの再生を行なうことにより、コンテンツの巻き戻しや早送り等のレスポンスが良好な状態で再生を行うことができ、ユーザビリティの向上を図ることができる。
【００２７】
また、本実施の形態に係る通信システムは、ＰＣにコンテンツデータをダウンロード等する際には、移動時に使用されるＰＤＡに比べて安定した通信回線を用いてダウンロードを行なうことができるため、通信状況を気にすることなくコンテンツデータを受信することができる。従って、既にダウンロードされたコンテンツデータを用いることにより、ＰＤＡにおけるコンテンツの再生を円滑に行なうことができ、ユーザビリティの向上を適切に図ることができる。
【００２８】
なお、上述の実施の形態に係る通信システムにおいては、ＰＤＡとＰＣとの間の接続がＵＳＢケーブルにより確立されているが、ＵＳＢケーブル以外のものにより確立されるようにしてもよい。例えば、ＵＳＢメモリやフレキシブルディスク等の記録媒体を用いてＰＤＡとＰＣとの間の接続を確立するようにしてもよい。即ち、ＰＣにおいて、ダウンロードしたコンテンツデータを記録媒体に出力し、該記録媒体に記録されたコンテンツデータをＰＤＡにおいて読み取り保存することによって、ＰＣからコンテンツデータを取得するようにしてもよい。
【００２９】
また、予めＰＤＡに記憶されるコンテンツデータは、ＰＣを経由してサーバから取得されたものでなくてもよい。即ち、ＰＤＡにおいてサーバから配信されたコンテンツデータを記憶するようにしてもよく、他の通信端末を経由してサーバから配信されたコンテンツデータを記憶するようにしてもよい。例えば、他の通信端末等によりサーバから配信されたコンテンツデータが取得された場合に、該他の通信端末において所定の記録媒体に取得したコンテンツデータを出力し、該所定の記録媒体に記録されたコンテンツデータをＰＤＡにおいて読み取り、記憶するようにしてもよい。
【００３０】
また、上述の実施の形態に係る通信端末においては、サーバからストリーミング配信されるコンテンツデータに対応するコンテンツデータがＰＤＡに存在する場合には、該コンテンツデータを用いたコンテンツの再生を優先しているが、コンテンツの再生に用いるコンテンツデータはユーザが任意に選択するようにしてもよい。また、ストリーミング配信されるコンテンツデータに対応するコンテンツデータがＰＤＡに存在する場合に、何れのコンテンツデータを用いてコンテンツの再生を行なうか、選択を促すメッセージを表示部２６に表示するようにしてもよい。
【００３１】
また、選択を促すメッセージを表示する際に、例えば、「サーバから配信されるコンテンツデータの方が高画質です。」等のメッセージを表示部２６（メッセージ出力部）に表示し、ユーザがコンテンツデータの質等を確認した上で、図示しない入力部を用いて任意にコンテンツの再生に用いるコンテンツデータを選択することができるようにしてもよい。即ち、ＰＤＡにおいてコンテンツメタ情報のヘッダに含まれるビットレートと、記憶部に記憶されているコンテンツデータのヘッダに含まれているビットレートとを比較し、比較結果に基づいてどちらのコンテンツデータを用いた方がより高画質である等を含むメッセージを表示し、ユーザに用いるコンテンツデータの選択を促すようにしてもよい。
【００３２】
また、コンテンツデータの選択を促すメッセージを表示部に表示する他、例えば、スピーカから出力される音声によりコンテンツデータの選択を促すようにしてもよい。即ち、音楽コンテンツ等の再生を行う場合には、音声にて、「ストリーミング配信されるコンテンツデータに対応するデータが存在します。コンテンツの再生に用いるコンテンツデータを選択して下さい。」等のアナウンスを行なうようにしてもよい。
【００３３】
また、上述の実施の形態に係る通信システムにおいては、サーバとしてストリーミングサーバを用いているが、通信システムを構成するサーバは、ストリーミングサーバに限定されるものではない。従って、ストリーミング配信を行なわないＷｅｂサーバ等を用いるようにしてもよい。
【００３４】
また、コンテンツのコンテンツデータが複数のファイルにより構成されている場合には、各ファイルに付されているファイルＩＤを用いてファイル単位で照合を行うようにしてもよい。ここで、例えば、コンテンツデータがファイル１、ファイル２、ファイル３、ファイル４及びファイル５の５つのファイルにより構成されている場合には、コンテンツの再生に用いるコンテンツデータをファイル単位で切り替えるようにしてもよい。具体的には、ファイル１、ファイル２及びファイル５はＰＤＡの記憶部に存在するが、ファイル３及びファイル４は存在しないとする。この場合、コンテンツを再生する際にファイル１、ファイル２及びファイル５は記憶されているコンテンツデータを用いるが、ファイル３及びファイル４はサーバからストリーミング配信されるコンテンツデータを用いるようにしてもよい。
【００３５】
また、ＰＤＡに全てのファイルが存在する場合であっても、コンテンツデータの選択を促すメッセージにおいて、ファイル毎に、サーバからストリーミング配信されるものを用いるか、記憶部に記憶されているものを用いるかをユーザが任意に指定することができるようにしてもよい。
【図面の簡単な説明】
【００３６】
【図１】本発明の実施の形態に係る通信システムの概略構成を模式的に示したブロック構成図である。
【図２】本発明の実施の形態に係る通信端末のブロック構成図である。
【図３】本発明の実施の形態に係る通信端末における処理を説明するためのフローチャートである。
【符号の説明】
【００３７】
２・・・ＰＤＡ、４・・・サーバ、６・・・ＰＣ、８・・・インターネット、１０・・・無線ＬＡＮ、１２・・・ＬＡＮ、２０・・・ＣＰＵ、２２・・・通信制御部、２４・・・記憶部、２６・・・表示部、２８・・・ＵＳＢポート。
【図１】
2009124617.tif 000003
【図２】
2009124617.tif 000004
【図３】
2009124617.tif 000005